(57)【要約】  【課題】  電子番組情報に基づき表示される放送予定において、延長可番組と所望の番組との放送される時間帯が異なり、両番組が一画面で表示されていない場合であっても、所望の番組が延長後番組であるか否かを認識することが可能な受信装置を提供する。  【解決手段】  受信装置は、受信した電子番組情報に基づいて、放送時間が延長される可能性のある延長可番組の有無を判定し、延長可番組が有ると判定した場合に、延長可番組と同じチャンネルで、かつ延長可番組の後に放送される延長後番組に係る放送予定の表示方法を変更する。【選択図】      図４
2007068051.tif 000002
【特許請求の範囲】
【請求項１】
放送される番組の放送予定を示す電子番組情報を受信し、受信した電子番組情報に基づいて、各番組の放送予定を表示手段に表示させる受信装置において、
受信した電子番組情報に基づいて、放送時間が延長される可能性のある延長可番組の有無を判定する第１判定手段と、
延長可番組が有ると判定した場合に、延長可番組と同じチャンネルで、かつ延長可番組の後に放送される延長後番組の有無を判定する第２判定手段と、
延長後番組が有ると判定したときに、延長後番組に係る放送予定の表示方法を変更する変更手段と
を備えることを特徴とする受信装置。
【請求項２】
前記第１判定手段は、電子番組情報により示される番組の名称、内容又は出演者に、予め設定されているキーワードが含まれている場合に、延長される可能性があると判定する様に構成してあることを特徴とする請求項１に記載の受信装置。
【請求項３】
前記第２判定手段は、延長可番組の放送後、放送休止までに放送される番組を延長後番組として判定する様に構成してあることを特徴とする請求項１又は請求項２に記載の受信装置。
【請求項４】
前記変更手段は、表示色を変更する様に構成してあることを特徴とする請求項１乃至請求項３のいずれかひとつに記載の受信装置。
【請求項５】
放送される番組を受信する手段と、
受信した番組を記録する手段と、
電子番組情報にて放送予定が示される番組の記録予約を受け付ける手段と
を更に備えることを特徴とする請求項１乃至請求項４のいずれかひとつに記載の受信装置。
【発明の詳細な説明】
【技術分野】
【０００１】
本発明は、放送される番組の放送予定を示す電子番組情報を受信し、受信した電子番組情報に基づいて、各番組の放送予定を表示手段に表示させる受信装置に関し、特に番組の放送時間が変更される可能性の有る番組を明示することが可能な受信装置に関する。
【背景技術】
【０００２】
放送されるテレビ番組を受信し、記録するビデオテープレコーダ、ハードディスクレコーダ等の記録装置が普及している。このような記録装置では、ユーザがチャンネル、記録開始時刻及び記録終了時刻を予め設定しておくことにより、テレビ番組を自動的に記録する記録予約の機能を備えている。特に最近では、放送される番組の放送予定を示す電子番組情報（ＥＰＧ：Ｅｌｅｃｔｒｏｎｉｃ  Ｐｒｏｇｒａｍ  Ｇｕｉｄｅ）を受信し、受信した電子番組情報にて示される番組の放送予定に基づいて、テレビ番組の記録予約の設定を行う記録装置が実用化されている（例えば特許文献１参照。）。
【０００３】
一方、野球、サッカー等のスポーツ中継番組は、予定時間内に試合が終了せず、番組の放送時間が延長される場合があり、スポーツ中継番組の放送時間が延長されると、以降に放送される番組の放送時刻が遅れるため、スポーツ中継番組の後に放送される所望の番組を最初から最後まで記録することができない場合が発生する可能性があるという問題がある。
【０００４】
そこで記録装置を操作するユーザは、電子番組情報に示された番組の放送予定を確認し、延長の可能性を考慮して記録予約の記録終了時刻を遅らせて設定することで、スポーツ中継番組の後に放送される所望の番組を記録している。
【特許文献１】特開２００２−２５２８１３号公報
【発明の開示】
【発明が解決しようとする課題】
【０００５】
しかしながら受信した電子番組情報に基づいて番組の放送予定を表示する場合、１画面に表示される放送予定の時間帯には限界があるため、記録予約を所望する番組と、延長の可能性がある番組とは必ずしも一画面内に表示されているとは限らない。例えば野球の中継番組が１９：００〜２１：００の時間帯に放送され、記録予約を所望する番組が２３：００〜２３：３０の時間帯に放送される場合で、２３時台の番組を表示させたとき、その前の時間帯に放送されている野球の中継番組が表示されないという状況が発生しうる。このような場合、ユーザは、延長の可能性がある番組の存在を認識することができず、所望の番組の記録終了時刻の調整を行わない可能性があり、所望の番組を最初から最後まで記録することができない場合が発生する可能性が生じるという問題がある。
【０００６】
本発明は斯かる事情に鑑みてなされたものであり、電子番組情報として表示される番組の中に、放送時間が延長される可能性がある延長可番組が有ると判定した場合に、延長可番組と同じチャンネルで、かつ延長可番組の後に放送される番組の表示方法を変更した電子番組情報を表示する受信装置の提供を目的とする。
【課題を解決するための手段】
【０００７】
本発明に係る受信装置は、放送される番組の放送予定を示す電子番組情報を受信し、受信した電子番組情報に基づいて、各番組の放送予定を表示手段に表示させる受信装置において、受信した電子番組情報に基づいて、放送時間が延長される可能性のある延長可番組の有無を判定する第１判定手段と、延長可番組が有ると判定した場合に、延長可番組と同じチャンネルで、かつ延長可番組の後に放送される延長後番組の有無を判定する第２判定手段と、延長後番組が有ると判定したときに、延長後番組に係る放送予定の表示方法を変更する変更手段とを備えることを特徴とする。
【０００８】
本発明では、電子番組情報に基づき表示される放送予定において、所望の番組が、放送時間が変更される可能性のある延長後番組であるか否かを、ユーザは容易に認識することができ、従って記録漏れを防止することが可能である。
【０００９】
本発明に係る受信装置は、前記第１判定手段は、電子番組情報により示される番組の名称、内容又は出演者に、予め設定されているキーワードが含まれている場合に、延長される可能性があると判定する様に構成してあることを特徴とする。
【００１０】
本発明では、番組の名称、内容又は出演者に含まれる競技名、チーム名、大会名等のキーワードに基づいて延長される可能性の有無を判定することが可能である。
【００１１】
本発明に係る受信装置は、前記第２判定手段は、延長可番組の放送後、放送休止までに放送される番組を延長後番組として判定する様に構成してあることを特徴とする。
【００１２】
本発明では、延長可番組の延長の影響を受ける全ての番組を、容易に認識することが可能である。
【００１３】
本発明に係る受信装置は、前記変更手段は、表示色を変更する様に構成してあることを特徴とする。
【００１４】
本発明では、表示色の変更により、表示されている番組が延長後番組であることを容易に視認することが可能である。
【００１５】
本発明に係る受信装置は、放送される番組を受信する手段と、受信した番組を記録する手段と、電子番組情報にて放送予定が示される番組の記録予約を受け付ける手段とを更に備えることを特徴とする。
【００１６】
本発明では、ハードディスクレコーダ等の記録装置に適用することにより、記録装置の利便性を向上させることが可能である。
【発明の効果】
【００１７】
本発明は、電子番組情報を受信するビデオテープレコーダ、ハードディスクレコーダ等の受信装置において、受信した電子番組情報に基づいて、放送時間が延長される可能性のある延長可番組の有無を、例えば番組の名称、内容又は出演者に含まれる競技名、チーム名、大会名等のキーワードに基づいて判定し、延長可番組が有ると判定した場合に、延長可番組と同じチャンネルで、かつ延長可番組の後に放送される延長後番組の有無を判定し、延長後番組が有ると判定したときに、延長後番組に係る放送予定の表示方法、例えば表示色を変更した電子番組情報を表示する。
【００１８】
この構成により、電子番組情報に基づき表示される放送予定において、延長可番組と所望の番組との放送される時間帯が異なり、両番組が一画面で表示されていない場合であっても、所望の番組が延長後番組であるか否かを、ユーザは容易に認識することが可能である等、優れた効果を奏する。従ってユーザは、延長可番組の存在を認識することができずに、所望の番組を最初から最後まで記録することができないという状況を回避することが可能である等、優れた効果を奏する。
【発明を実施するための最良の形態】
【００１９】
以下、本発明をその実施の形態を示す図面に基づいて詳述する。図１は、本発明の受信装置の構成例を示すブロック図である。図１中１は、ハードディスクレコーダを用いた本発明の受信装置であり、受信装置１には、ＣＲＴディスプレイ、液晶ディスプレイ等の表示装置２が映像信号及び音声信号を伝送する伝送線にて接続されている。さらに受信装置１には、地上アナログ放送等の放送波として送信される放送番組を受信するアンテナ３が接続されており、またユーザが操作するリモートコントローラ等の操作装置４から出力される赤外線等の操作用の電磁波を受信し、電磁波として受信した操作信号に基づいて動作する。
【００２０】
受信装置１は、装置全体を制御するＣＰＵ等の制御手段１０１と、制御手段１０１の制御により実行されるプログラム及びデータ等の各種情報を記録するＲＯＭ等の記録手段１０２と、制御手段１０１の制御によるプログラムの実行時に発生するデータを一時的に記憶するＲＡＭ等の記憶手段１０３とを備えている。また受信装置１は、ハードディスクドライブ等の記録媒体１０４と、記録媒体１０４にアクセスして各種情報の記録（録画）／読取（再生）を行う記録／読取手段１０５とを備えている。
【００２１】
受信装置１は、アンテナ３に接続し、アンテナ３から受信した地上波アナログ放送等の放送波から所望のチャンネルの放送番組、及び該放送番組と共に送信され、番組の放送時刻を含む放送予定を示した電子番組情報（以下、ＥＰＧ情報という）を取得するチューナ等の取得手段１０６を備えている。そして受信装置１では、アンテナ３にて受信し、取得手段１０６にて取得した放送波であるアナログ信号を、Ａ／Ｄ変換手段１０７にてデジタル信号に変換し、出力手段１０８から映像信号及び音声信号として表示装置２へ出力する。ただし取得手段１０６にて取得された放送番組が記録すべき放送番組である場合、受信装置１では、放送番組をＭＰ２等の所定の圧縮符号化方法にて符号化し、記録媒体１０４に記録する。また取得されたＥＰＧ情報も、記憶手段１０３への記憶又は記録媒体１０４への記録が行われる。なお受信装置１は、ＥＰＧ情報を、アンテナ３にて受信することで取得するのではなく、図示しないネットワーク上に設けられＥＰＧ情報を記録しているＥＰＧサーバからダウンロードすることで取得する様にしても良い。
【００２２】
受信装置１は、更に、ユーザの操作を受け付ける押釦等の操作手段１０９と、必要に応じて各種情報を表示するＬＥＤパネル等の表示手段１１０とを備えている。そしてユーザは、操作手段１０９を操作する入力を行うことにより、受信装置１は、操作手段１０９による操作を受け付け、受け付けた操作に基づいて動作する。また受信装置１は、赤外線等の電磁波を受信する受光手段１１１を備えており、ユーザが操作装置４を操作する入力を行うことで、操作装置４は、操作を受け付け受け付けた操作の内容を示す操作信号を出力し、受信装置１は、受光手段１１１により操作信号を受信し、受信した操作信号が示す操作内容に基づいて動作する。
【００２３】
さらに受信装置１は、年、月、日、時、分及び秒を示す時計を有する日時管理手段１１２と、記録予約（タイマ録画）の管理を行う予約管理手段１１３とを備えており、予約管理手段１１３は、番組の記録予約の内容を記憶し、日時管理手段１１２の時間管理に基づいて番組の記録処理を行う。予約管理手段１１３にて管理する記録予約は、ユーザが操作手段１０９又は操作装置４を操作して、記録すべき番組のチャンネル、開始時刻及び終了時刻を入力することにより行うこともできるが、後述する様にＥＰＧ情報を用いて行うことも可能である。具体的には、ＥＰＧ情報に基づく番組表を表示させ、ユーザが操作手段１０９又は操作装置４を操作して、番組表内に表示された番組を指定する方法、記録予約すべき番組の条件を設定する方法等の方法により行われる。記録予約すべき番組の条件とは、例えば番組のタイトル（名称）、内容又は出演者に指定されたキーワードが含まれているか否か、番組のジャンル、番組の放送時間等の条件である。
【００２４】
次に本発明の受信装置１の各種処理について説明する。図２は、本発明の受信装置１の番組表表示処理の一例を示すフローチャートである。ユーザは、例えば放送される番組を確認する場合、放送される番組の記録予約を行う場合等の状況下において、操作手段１０９又は操作装置４を操作して、ＥＰＧ情報に基づく番組表を表示させる操作を行う。操作を受け付けた受信装置１は、制御手段１０１の制御により、アンテナ３にて受信し、取得手段１０６にて取得したＥＰＧ情報に基づいて、放送時間が延長される可能性の延長可番組の有無を判定する（ステップＳ１）。
【００２５】
延長可番組とは、例えば放送時間が延長される可能性のある野球、サッカー等のスポーツを生中継する番組であり、ＥＰＧ情報により示される番組のタイトル、内容又は出演者に、スポーツを生中継する番組であることを示す競技名、チーム名、競技者名、大会名等のキーワードが含まれているか否かにより判定し、キーワードが含まれていれば延長される可能性があると判断する。なおスポーツを生中継する番組を特定することができるのであれば、キーワード以外の方法、例えばＥＰＧ情報に含まれる番組のジャンルを示す情報等の情報に基づいて判定する様にしても良い。なお受信装置１が、自動的に延長可番組の判定を行うだけでなく、ユーザがＥＰＧ情報を表示させ、受信装置１に対し、延長可番組を手動で設定する様にしても良い。この場合、ステップＳ１では、キーワードにより延長可番組が存在するか否かを判定するだけでなく、ユーザの操作により設定されている延長可番組が存在するか否かも判定する。
【００２６】
ステップＳ１において、延長可番組が有ると判定した場合（ステップＳ１：ＹＥＳ）、受信装置１は、制御手段１０１の制御により、延長可番組と同じチャンネルで、かつ延長可番組の後に放送される延長後番組の有無を判定する（ステップＳ２）。ＥＰＧ情報は、例えば午前５時等の放送再開時刻から午前３時等の放送休止時刻までに連続して放送される一連の複数の番組を一日分の放送番組として含んでいる。ステップＳ２では、延長可番組と同じ日に同じチャンネルで放送される番組の中で、放送される時間帯が延長可番組より後である全ての番組を、延長可番組が延長された場合に放送時間変更の影響を受ける延長後番組として判定する。即ち延長可番組が、その日の最後の番組でない限り、延長後番組は存在することになる。なおここでいう同じ日とは、午前０時で変更される実際の日付に基づく日ではなく、放送再開時刻から放送休止時刻までの連続して放送される一連の番組が放送される一連の時間帯を示す。
【００２７】
ステップＳ２において、延長後番組が有ると判定したとき（ステップＳ２：ＹＥＳ）、受信装置１は、制御手段１０１の制御により、ＥＰＧ情報に基づく番組表の中で、延長後番組に係る放送予定の表示方法を変更した番組表を表示装置２に表示させる（ステップＳ３）。ステップＳ３における表示方法の変更とは、例えば延長後番組の表示色の変更である。
【００２８】
ステップＳ１において、延長可番組が無いと判定した場合（ステップＳ１：ＮＯ）、受信装置１は、制御手段１０１の制御により、表示方法の変更は行わず、ＥＰＧ情報に基づく番組表を表示装置２に表示させる（ステップＳ４）。
【００２９】
ステップＳ２において、延長後番組が無いと判定したとき（ステップＳ２：ＮＯ）、受信装置１は、制御手段１０１の制御により、表示方法の変更は行わず、ＥＰＧ情報に基づく番組表を表示装置２に表示させる（ステップＳ４）
【００３０】
次に表示装置１に表示される番組表の具体例について説明する。図３及び図４は、ＥＰＧ情報に基づき表示される番組表の例を示す説明図である。図３は、表示方法変更処理を行わない場合に表示される番組表であり、図４は、本発明の受信装置１の表示方法変更処理を行う場合に表示される番組表である。図３及び図４は、表示装置２の一画面に表示された番組表の状態を示しており、ＡＴＶ、ＢＴＶ等の表示は、番組を放送するチャンネルを放送局名で示したものであり、ＰＭ９：００、ＰＭ１０：００等の表示は、放送される時間帯を示している。そしてドラマＡ、ニュースＢ等の表示は、チャンネル及び時間帯毎に放送される番組の番組名を示している。図３及び図４に示す様に、一画面では、２時間分の時間帯の番組しか表示されないため、異なる時間帯の番組を確認するためには、番組表をスクロールさせる必要がある。
【００３１】
図３（ａ）では、午後９時台から午後１０時台までに、各チャンネルにて放送される番組が表示された状態を示しており、図３（ｂ）では、午後８時台から午後９時台までに、各チャンネルにて放送される番組が表示された状態を示している。図３（ａ）及び（ｂ）に示す様に放送局ＤＴＶによるチャンネルでは、午後９時台から午後１０時台にかけて映画Ａが放送されるが、その前の午後８時台には、野球Ｂが放送される。午後８時台に放送される野球Ｂは、延長される可能性がある延長可番組であり、午後９時台から放送される映画Ａは、延長可番組の放送延長の影響を受ける延長後番組である。しかしながら図３（ａ）に示す様に午後９時台から午後１０時台までの時間帯の番組表を表示させただけでは、映画Ａの前に、延長可番組が放送されているか否かを判断することができない。
【００３２】
図４では、午後９時台から午後１０時台までに、各チャンネルにて放送される番組が表示された状態を示している。図４に示した例では、延長後番組である映画Ａの表示色が黄色（図４中では、右上から左下への斜線）に変更されているため、ユーザは、午後８時台に放送される番組を確認せずとも、映画Ａの放送時間が遅れる可能性があることを認識することができる。なお図４に示す状態から、ユーザが、延長後番組を指示する操作を行うことにより、当該延長後番組の前に放送される延長可番組が放送される時間帯の番組表が表示される。
【００３３】
また図４に示す様に、放送局ＢＴＶによるチャンネルにて午後９時台に放送されるサッカーＡは延長可番組であり、表示色が赤色（図４中では、左上から右下への斜線）に変更されている。また放送局ＡＴＶによるチャンネルにて示される様に延長可番組の後、放送休止までに放送される全ての番組の表示色は、延長後番組であることを示す表示色に変更されている。
【００３４】
前記実施の形態では、放送番組を示すコマの表示色を変更する形態を示したが、本発明はこれに限らず、番組名を示す文字の大きさ、文字の色等の文字の書体を変更する様にしても良く、更には延長後番組であることを示す符号を表示する等、様々な表示方法の変更形態に適用することが可能である。
【００３５】
また前記実施の形態では、アナログ放送の番組の記録時に適用する形態を示したが、本発明はこれに限らず、地上波デジタル放送、衛星放送等のデジタル放送の記録時に適用する様にしても良い。
【００３６】
さらに前記実施の形態では、ハードディスクレコーダを受信装置とする形態を示したが、本発明はこれに限らず、ビデオテープレコーダ、ＤＶＤレコーダ等の他の受信装置に適用する様にしても良く、更にはカセットテープレコーダ、ＭＤレコーダ等の映像を伴わないラジオ等の音声を記録する受信装置に適用する様にしても良い。
【００３７】
しかも受信装置は、必ずしも番組を記録する機能を有する装置に限定するものではない。例えばインターネットを介して配信されるＥＰＧ情報を受信するパーソナルコンピュータ等の装置を受信装置として用いる様にしても良い。
【図面の簡単な説明】
【００３８】
【図１】本発明の受信装置の構成例を示すブロック図である。
【図２】本発明の受信装置の番組表表示処理の一例を示すフローチャートである。
【図３】電子番組情報に基づき表示される番組表の例を示す説明図である。
【図４】電子番組情報に基づき表示される番組表の例を示す説明図である。
【符号の説明】
【００３９】
１  受信装置
１０１  制御手段
１０２  記録手段
１０６  取得手段
１０８  出力手段
１１２  日時管理手段
１１３  予約管理手段
２  表示装置
３  アンテナ
【図１】
2007068051.tif 000003
【図２】
2007068051.tif 000004
【図３】
2007068051.tif 000005
【図４】
2007068051.tif 000006